(57)【要約】【課題】本発明は、歯画像表示方法と、それを用いた歯画像表示装置、およびそれに用いる記録媒体に関するもので、使い勝手を良くすることをすることを目的とするものである。【解決手段】そしてこの目的を達成するために本発明は、口腔内カメラ１で撮影した歯の撮影画像に、歯式の特定歯に対応する特定番号を付与し、その後、前記撮影画像を、前記特定番号が保有する角度情報により回動させて表示部３に表示させるものである。また、これは、歯画像表示装置、およびそれに用いる記録媒体としても活用される。【選択図】図１２
2012143484.tif 000002
【特許請求の範囲】
【請求項１】
口腔内カメラで撮影した歯の撮影画像に、歯式の特定歯に対応する特定番号を付与し、その後、前記撮影画像を、前記特定番号が保有する角度情報により回動させて表示部に表示させる歯画像表示方法。
【請求項２】
口腔内カメラで口腔内の歯を複数枚撮影し、次に、これら複数枚の撮影画像の各々に、それぞれ歯式の特定歯に対応する特定番号を付与し、その後、前記複数枚の撮影画像の各々を、それぞれに対応する前記特定番号が保有する角度情報により回動させて表示部に表示させる歯画像表示方法。
【請求項３】
口腔内カメラで撮影した複数枚の撮影画像を、順次、表示部に表示させ、次に、前記複数枚の撮影画像のそれぞれに歯式の特定歯に対応する特定番号を付与し、その後、前記表示部に表示された複数枚の撮影画像の一つを選択することにより、この選択された撮影画像を、それに付与された前記特定番号が保有する角度情報により回動させて表示部に表示させる歯画像表示方法。
【請求項４】
撮影画像への特定番号付与は、選択された撮影画像を、表示部に表示された歯式図内の対応する特定歯に、ドラッグ・アンド・ドロップすることで実行する請求項３に記載の歯画像表示方法。
【請求項５】
口腔内カメラで撮影した撮影画像を表示させる表示部と、この表示部に接続された制御部と、前記制御部に接続された操作部とを備え、前記制御部には、前記操作部による操作に基づき、前記口腔内カメラで撮影した撮影画像に、歯式の特定歯に対応する特定番号を付与する画像関連情報生成部と、この画像関連情報生成部によって付与された特定番号に基づいて前記撮影画像を回転させて表示部に表示させる画像回転処理部とを接続した歯画像表示装置。
【請求項６】
口腔内カメラと、この口腔内カメラで撮影した撮影画像を表示させる表示部と、この表示部に接続された制御部と、この制御部に接続された操作部とを備え、前記制御部には、前記口腔内カメラのシャッターボタン監視部と、前記操作部による操作に基づき、前記口腔内カメラで撮影した撮影画像に、歯式の特定歯に対応する特定番号を付与する画像関連情報生成部と、この画像関連情報生成部によって付与された特定番号に基づいて前記撮影画像を回転させて表示部に表示させる画像回転処理部とを接続した歯画像表示装置。
【請求項７】
請求項１から６のいずれか一つを実行する歯画像表示ソフトウェアを格納した記録媒体。
【発明の詳細な説明】
【技術分野】
【０００１】
本発明は、歯画像表示方法と、それを用いた歯画像表示装置、およびそれに用いる記録媒体に関するものである。
【背景技術】
【０００２】
従来の歯画像表示装置の構成は、以下のようなものとなっていた。
【０００３】
すなわち、口腔内カメラと、この口腔内カメラで撮影した撮影画像を表示させる表示部と、この表示部に接続された制御部と、前記制御部に接続された操作部とを備え、前記口腔内カメラで撮影した撮影画像を表示部に表示させる構成となっていた（例えば下記特許文献１）。
【先行技術文献】
【特許文献】
【０００４】
【特許文献１】特開２００１−１６１６４３号公報
【発明の概要】
【発明が解決しようとする課題】
【０００５】
上記従来例における課題は、使い勝手が悪いということであった。
【０００６】
すなわち、前記口腔内カメラで口腔内の歯を順次撮影するときには、口腔内において、この口腔内カメラの撮影角度が変化することにより、撮影画像も傾斜したものとなる。そして、この傾斜した状態の撮影画像が表示部に表示されることになるのであるが、このように傾斜した状態の撮影画像は非常に見づらく、使い勝手が悪いものであった。
【０００７】
この点を今少し説明すると、前歯を撮影するときには、口腔内カメラの撮影窓を、その前歯に対して平行な状態として撮影を行うことができるが、この口腔内カメラを前歯から奥歯に向けて順次移動させながら撮影を行う時には、奥歯に向かうにしたがって口腔内カメラの撮影窓は、その撮影歯に対して傾斜した状態となり、その結果として、表示部には、その傾斜したままの撮影画像が表示されてしまい、これにより、上述のごとく、非常に見づらく、使い勝手が悪いものになるのである。
【０００８】
そこで本発明は、使い勝手を良くすることを目的とするものである。
【課題を解決するための手段】
【０００９】
そして、この目的を達成するために本発明は、口腔内カメラで撮影した歯の撮影画像に、歯式の特定歯に対応する特定番号を付与し、その後、前記撮影画像を、前記特定番号が保有する角度情報により回動させて表示部に表示させ、これにより所期の目的を達成するものである。
【発明の効果】
【００１０】
以上のように本発明は、口腔内カメラで撮影した歯の撮影画像に、歯式の特定歯に対応する特定番号を付与し、その後、前記撮影画像を、前記特定番号が保有する角度情報により回動させて表示部に表示させるものであるので、使い勝手を良くすることができる。
【００１１】
すなわち、本発明においては、口腔内カメラで撮影した歯の撮影画像に、歯式の特定歯に対応する特定番号を付与し、その後、前記撮影画像を、前記特定番号が保有する角度情報により回動させて表示部に表示させるものであるので、口腔内カメラで撮影した撮影画像が傾斜した状態のものであっても、その撮影画像は、その撮影歯に付与された特定番号が保有する角度情報により回動させられて表示部に表示されるので、この表示部においては、前記傾斜表示状態が矯正された状態の表示がなされることとなり、その結果として、見やすく、使い勝手を良くすることができるものである。
【図面の簡単な説明】
【００１２】
【図１】本発明の一実施形態を示す構成図
【図２】同、口腔内カメラを示す斜視図
【図３】同、制御ブロック図
【図４】同、操作状態を示す図
【図５】同、操作状態を示す図
【図６】同、操作状態を示す図
【図７】同、表示部の表示例を示す図
【図８】同、表示部の表示例を示す図
【図９】同、表示部の表示例を示す図
【図１０】同、表示部の表示例を示す図
【図１１】同、表示部の表示例を示す図
【図１２】同、表示部の表示例を示す図
【図１３】同、回転テーブルを示す図
【図１４】同、回転テーブルを示す図
【図１５】同、回転テーブルを示す図
【図１６】同、画像関連情報を示す図
【図１７】同、動作フローチャート
【図１８】同、動作フローチャート
【図１９】同、動作フローチャート
【発明を実施するための形態】
【００１３】
図１において、１は筒状の口腔内カメラで、この口腔内カメラ１には、パーソナルコンピュータ２を介して表示部３が接続されている。また、パーソナルコンピュータ２には、操作部の一例としてマウス４とキーボード（図示せず）が接続されている。さらに、パーソナルコンピュータ２には、動作プログラムを収納した記録媒体５が着脱自在に挿入されるようになっている。
【００１４】
図２は、前記口腔内カメラ１を示し、その前端下方には長方形の撮影窓６が設けられ、また、中部上方にはシャッターボタン７が設けられている。
【００１５】
図３は、制御ブロックを示し、前記口腔内カメラ１は、シャッターボタン監視部８を介して、制御部９に接続されている。また、この口腔内カメラ１は、映像信号受信部１０、ライブ映像表示処理部１１を介して、制御部９に接続されている。さらに、制御部９には、操作部の一例としてマウス４と、基本制御プログラムを格納したＲＯＭ１２が接続されている。
【００１６】
前記表示部３は、ライブ映像表示処理部１１を介して、制御部９に接続されている。また、この表示部３は、キャプチャ画像表示処理部１３を介しても制御部９に接続されている。さらに、この表示部３は、歯式表示処理部１４を介しても制御部９に接続されている。
【００１７】
前記記録媒体５に格納された動作プログラムは、記憶部１５にインストールされるようになっている。この記憶部１５と制御部９は、画像関連情報生成部１６を介して接続されている。また、この記憶部１５と制御部９は、キャプチャ処理部１７を介しても接続されている。
【００１８】
さらに、記憶部１５は、キャプチャ画像回転処理部１８を介してキャプチャ画像表示処理部１３に接続されている。それ以外に、記憶部１５は、キャプチャ画像表示処理部１３に直接的にも接続されている。
【００１９】
図４から図６は、口腔１９内に、口腔内カメラ１の先端部を挿入し、その撮影窓６を介して歯を撮影する状態を示している。この時、患者は、図１に示すごとく、口２０を上方に向けて開口した状態で、チェア（図示せず）に仰向けになって寝ているものとする。この時、上顎の前歯の場合は、口腔内カメラ１の先端部を挿入し、その撮影窓６で歯を撮影することになるので、図４に示すごとく、この前歯に対して撮影窓６を正対させた状態とすることができる。すると、図４（ｂ）のごとく、表示部３には、前歯は正視状態で表示されることとなる。
【００２０】
しかしながら、図５、図６に示すように、前歯から奥歯に向かって歯の撮影を続けていくと、撮影窓６は、その歯に対して傾斜状態で対向することになるので、図５（ｂ）、図６（ｂ）に示すごとく、表示部３には、傾斜した状態の撮影画像が表示されることになる。
【００２１】
図７は、表示部３のより詳細な表示内容を示すものであり、図４から図６に示した歯の撮影画像は、ライブ画像として右上に区画表示される。また、この表示部３の左上には患者ＩＤと患者名が区画表示されるようになっている。
【００２２】
この患者名の下方には、図７から図９に示す歯式図が表示されるようになっている。このうち、図７は外側から見た歯式図であり、図８は内側から見た歯式図であり、図９は咬合面を示す歯式図である。各歯式図はどれを表示するか選択可能となっており、歯科医師が患者に説明する際、該当する歯式図を選択する。
【００２３】
図７に戻って説明を続けると、表示部３の下方には、口腔内カメラ１で撮影した複数枚の撮影画像（キャプチャ画像）が順次表示されるようになっており、図７において、（００１）は図４によって撮影したもので、（００２）は図５によって撮影したもので、図８の（００３）は図６によって撮影したものである。
【００２４】
図１０は、（００３）をマウス４でダブルクリックした状態を示し、このように撮影画像をダブルクリックすると、口腔内カメラ１で撮影した現在の撮影画像の状況に関わらず、前記マウス４でダブルクリックされた（００３）の撮影画像が右上に拡大表示される（この時、図７に示されていたＬｉｖｅの表示は消える）。
【００２５】
そして、撮影が終了した時には、歯科医師は図１に示す患者の口腔１９内から口腔内カメラ１を引きぬき、患者が表示部３を見ることができる状態とし、次に、図１に示す口腔内カメラ１の電源ボタン２５をオフ状態とする。
【００２６】
その後、歯科医師は、例えば撮影画像（００３）をマウス４でダブルクリックすると、図１０に示すごとく、奥歯の撮影画像（００３）は、横向きに表示部３に表示されるので、歯科医師および患者には、見にくいものとなる。
【００２７】
そこで、本実施形態では、以下のような対応を図ることとした。
【００２８】
まず、歯科医師は、図１１に示す表示部３下方の（００３）の撮影画像をマウス４でドラッグし、次に、その上方に表示された歯式図の対応する特定歯にドロップする（図１７のＳ１）。
【００２９】
その結果、図１１の（００３）の撮影画像には、画像関連情報生成部１６により前記特定歯に対応する特定番号（右上６）が付与され、この特定番号（右上６）が、図１２に示すごとく、キャプチャ画像表示処理部１３により表示されることになる。
【００３０】
この様な制御は、図３に示す制御部９が実行することとなっており、それを実行させるためのプログラムは、図１に示す記録媒体５から記憶部１５にインストールしたものであり、このプログラムによる実行は後で図１７を用いて説明する。
【００３１】
前記歯式図の各特定歯には、それぞれに図１３、図１４、図１５に示す回転テーブル２１、２２、２３があらかじめ付与されている。
【００３２】
図１３は、上記マウス４によるドラッグ、その後のドロップを、図８に示す内側の歯式図において実行するときの回転テーブル２１を示しており、図１４は、上記マウス４によるドラッグ、その後のドロップを、図１１に示す外側の歯式図において実行するときの回転テーブル２２を示しており、図１５は、上記マウス４によるドラッグ、その後のドロップを、図９に示す咬合の歯式図において実行するときの回転テーブル２３を示している。
【００３３】
これら回転テーブル２１、２２、２３から理解されるように、各状態（内側、外側、咬合）における特定歯には、その特定番号ごとに画像を正視状態で表示させるための角度情報が設定されている。したがって、図１２に示すごとく、図１１に示す表示部３下方の（００３）の撮影画像をマウス４でドラッグし、次に、その上方に表示された歯式図の対応する特定歯にドロップし、その結果として、図１２に示すごとく、図１１の（００３）の撮影画像に、特定番号（右上６）を付与すると、その特定歯には、角度情報も付与されることになる。
【００３４】
その結果、表示部３の右上には、図１０、図１１から図１２への変化で明らかなように、図１０では横向きに表示されていた（００３）の撮影画像が、キャプチャ画像回転処理部１８により、特定歯の角度情報に基づいて回転され、図１２のごとく正対状態（この例では縦向き）で表示されることになる。
【００３５】
また、前記ドラッグ・アンド・ドロップをした歯式図の特定歯は、未ドロップの特定歯との判別を容易にするために、着色（例えば、青色）がなされるようになる。
【００３６】
このようにして、例えば、図８の下方に連続的に表示された撮影画像（００１）、（００２）、（００３）に全て、図１２に示す特定番号を付与することになり、この時に、記憶部１５内においては、図１６に示す画像関連情報テーブル２４が形成されることになる。
【００３７】
上記動作は制御部９などにおいて、図１７に示すようにして実行される。つまり、上述のごとく、図１１に示す表示部３下方の（００３）の撮影画像をマウス４でドラッグし、次に、その上方に表示された歯式図の対応する特定歯にドロップする（図１７のＳ１）と、画像関連情報生成部１６は、歯式表示処理部１４が保持している歯の場所情報を受け取り、ドロップされた歯の場所を求める（図１７のＳ２）。
【００３８】
その結果、画像関連情報生成部１６は、画像関連情報（例えば、図１２の右上６）を生成する（図１７のＳ３）。その後、画像関連情報生成部１６は、記憶部１５に画像関連情報を保存（図１７のＳ４）し、それによって図１６に示す画像関連情報テーブル２４が生成、保存される。
【００３９】
また、上記歯科医師の確認や患者への説明の時には、図１８のようにして実行される。すなわち、上述した、歯科医師の確認や患者への説明をしようとする時には、撮影画像をマウス４でダブルクリックすることになる。
【００４０】
すると、制御部９は、キャプチャ画像表示処理部１３に表示処理の指示をする。この指示を受けた図３のキャプチャ画像表示処理部１３は、記憶部１５に画像関連情報の存在有無を確認する（図１８のＳ１）。そして、画像関連情報が存在する場合には、次に、キャプチャ画像表示処理部１３は、該当ファイルが含まれるか否かを確認し（図１８のＳ２）、その後、記憶部１５の画像関連情報テーブル２４から分類、場所、番号を取得する（図１８のＳ３）。
【００４１】
その後、キャプチャ画像回転処理部１８によって、回転処理を行う（図１８のＳ４）。この回転処理を行う場合には、図１９のＳ１へとジャンプし、キャプチャ画像回転処理部１８は、記憶部１５から、図１３、図１４、図１５に示す回転テーブル２１、２２、２３を取得する（図１９のＳ２）。
【００４２】
続いて、このキャプチャ画像回転処理部１８は、取得した回転テーブル２１、２２、２３から、該当する特定歯の回転角度を取得する（図１９のＳ３）。
【００４３】
その後、キャプチャ画像回転処理部１８は、取得した回転角度を用いて（図１９のＳ４）、記憶部１５から取得した撮影画像を回転させる（図１９のＳ５）。
【００４４】
この状態で、図１８のＳ５にジャンプし、キャプチャ画像表示処理部１３は、表示部３に対して画像を表示させることになる。これにより、図１２に示すごとく、表示部３の右上には、図１０では横向きに表示されていた（００３）の撮影画像が、正対状態（この例では縦向き）で表示されることになる。
【００４５】
その結果として、歯科医師および患者にとって見やすいものとなり、使い勝手を良くすることができるものとなる。
【００４６】
なお、撮影画像の表示はマウス４による撮影画像のダブルクリックをトリガーに開始するものとして説明したが、図１７のＳ４と図１８のＳ１とを続けて行うことにより、マウス４によるドラッグとその後のドロップ操作だけで、撮影画像を正対状態で表示することもできる。
【００４７】
なお、図３に示す映像信号受信部１０は、口腔内カメラ１から映像信号を受信し、ライブ映像表示処理部１１を介して、表示部３に図７に示すＬｉｖｅ画像を表示させるものである。
【００４８】
また、口腔内カメラ１のシャッターボタン７が押された時には、このシャッターボタン７の信号を、シャッターボタン監視部８が受け取って制御部９に通知する。そして、制御部９は、キャプチャ処理部１７を介して、口腔内カメラ１から映像信号を記憶部１５に記憶するようになっている。
【００４９】
また、図３の歯式表示処理部１４は、図７から図９に示す歯式図を表示部３に表示させるためのものである。
【産業上の利用可能性】
【００５０】
以上のように本発明は、口腔内カメラで撮影した歯の撮影画像に、歯式の特定歯に対応する特定番号を付与し、その後、前記撮影画像を、前記特定番号が保有する角度情報により回動させて表示部に表示させるものであるので、使い勝手を良くすることができる。
【００５１】
すなわち、本発明においては、口腔内カメラで撮影した歯の撮影画像に、歯式の特定歯に対応する特定番号を付与し、その後、前記撮影画像を、前記特定番号が保有する角度情報により回動させて表示部に表示させるものであるので、口腔内カメラで撮影した撮影画像が傾斜した状態のものであっても、その撮影画像は、その撮影歯に付与された特定番号が保有する角度情報により回動させられて表示部に表示されるので、この表示部においては、前記傾斜表示状態が矯正された状態の表示がなされることとなり、その結果として、見やすく、使い勝手を良くすることができるものである。
【００５２】
したがって、歯科医で活用することが期待されるものである。
【符号の説明】
【００５３】
１  口腔内カメラ
２  パーソナルコンピュータ
３  表示部
４  マウス
５  記録媒体
６  撮影窓
７  シャッターボタン
８  シャッターボタン監視部
９  制御部
１０  映像信号受信部
１１  ライブ映像表示処理部
１２  ＲＯＭ
１３  キャプチャ画像表示処理部
１４  歯式表示処理部
１５  記憶部
１６  画像関連情報生成部
１７  キャプチャ処理部
１８  キャプチャ画像回転処理部
１９  口腔
２０  口
２１，２２，２３  回転テーブル
２４  画像関連情報テーブル
２５  電源ボタン
【図１】
2012143484.tif 000003
【図２】
2012143484.tif 000004
【図３】
2012143484.tif 000005
【図４】
2012143484.tif 000006
【図５】
2012143484.tif 000007
【図６】
2012143484.tif 000008
【図７】
2012143484.tif 000009
【図８】
2012143484.tif 000010
【図９】
2012143484.tif 000011
【図１０】
2012143484.tif 000012
【図１１】
2012143484.tif 000013
【図１２】
2012143484.tif 000014
【図１３】
2012143484.tif 000015
【図１４】
2012143484.tif 000016
【図１５】
2012143484.tif 000017
【図１６】
2012143484.tif 000018
【図１７】
2012143484.tif 000019
【図１８】
2012143484.tif 000020
【図１９】
2012143484.tif 000021